(57)【要約】      （修正有）【課題】人工皮革片と補強片とを接合した態様の表皮片を機械縫いで繋ぐ場合の糸の飛び出しや返し縫いでの糸切れを防止する事が可能なボールの提供。【解決手段】人工皮革片６と補強片７とを接合した態様の表皮片５の隣接した２辺を繋ぐ部分が機械縫いされ隣接する表皮片５どうしの糸８で縫い合わせられた縫い代９がブラダー２の側に位置するように折り曲げられ、隣接する表皮片５が互いに両側に広げられた造形となる。上記機械縫いされた部分では、縫い終わりの返し縫い１０が、縫い始めの返し縫いと縫い終わりの返し縫い１０との間における縫い合わせの主要部１１よりも表皮片５の端縁１２の側に位置をずらされている。【選択図】図１
2015033547.tif 000002
【特許請求の範囲】
【請求項１】
人工皮革片と補強片とを接合した態様の表皮片を機械縫いで隣接して繋ぐように構成したボールにおいて、縫い終わりの返し縫いが縫い合わせの主要部よりも表皮片の端縁側に位置をずらされたことを特徴とするボール。
【請求項２】
縫い終わりの返し縫いが縫い合わせの主要部と平行に構成されたことを特徴とする請求項１記載のボール。
【発明の詳細な説明】
【技術分野】
【０００１】
本発明は、人工皮革片と補強片とを接合してなる表皮片を機械縫いで隣接して繋ぐように構成した縫いボールに関する。
【背景技術】
【０００２】
縫いボールには、９０００デニールのような太い糸を用いて硬い表皮片どうしを手縫いしたものと、８８０デニール乃至１５３０デニールのような細い糸を用いて軟らかい表皮片どうしを機械縫いしたものとがあり、前者は競技用として使用されることが多く、後者はレジャー用として使用されることが多いことが一般的に知られている。図３は、特許文献１に開示された競技用のボール１の内部構造を示す。図３において、ボール１は、気嚢としてのブラダー２の外側を表皮３で覆い、ブラダー２の内部空間４に圧縮空気を注入して膨らますことのできるようになっている。表皮３は、表皮片５の隣接する２辺を縫合して球状に構成される。表皮片５は、人工皮革片６と補強片７とを接合した硬い態様である。このような表皮片５を繋ぐ一部は機械縫いされ、残りは手縫いされることにより、表皮片５からなる表皮３が球状に構成される。又、機械縫いの場合、糸のほつれを防止することから、縫い始めと縫い終わりとにおいて返し縫いを行なうことも周知である。
【０００３】
図６を参照し、２個の表皮片５を機械縫いで縫合された態様について説明する。表皮片５は人工皮革片６と補強片７とからなる硬い態様である。２個の表皮片５の人工皮革片６の面どうしが重ね合わされている一方、２個の表皮片５の一辺どうしが互いに位置を合わせられている。縫い合わせの主要部３５が正送りであると、縫い始めの返し縫い３６及び縫い終わりの返し縫い３７は逆送りになる。縫い合わせの主要部３５はパーフェクトステッチ、縫い始めの返し縫い３６及び縫い終わりの返し縫い３７はヒッチステッチになる。尚、ヒッチステッチについては図４で説明し、パーフェクトステッチについては図５で説明し、縫い合わせの主要部３５と縫い始めの返し縫い３６と縫い終わりの返し縫い３７との位置関係については図６で説明する。
【０００４】
図４に示すように、ヒッチステッチは、上糸３１が環状部を構成し、その環状部の中を下糸３２が通過する縫い方をいう。
【０００５】
図５に示すように、パーフェクトステッチは、上糸３３と下糸３４とが波状に構成されており、かつ互いに絡み合った縫い方をいう。
【０００６】
図６を参照し、縫い合わせの主要部３５と縫い始めの返し縫い３６と縫い終わりの返し縫い３７との位置関係について説明する。機械縫いの場合、パーフェクトステッチとヒッチステッチとが切り替わる部分では縫い目が片側に位置ずれを生じるため、ヒッチステッチによる縫い始めの返し縫い３６がパーフェクトステッチによる縫い合わせの主要部３５よりも表皮片５の端縁３８の側に離れた位置になり、ヒッチステッチによる縫い終わりの返し縫い３７がパーフェクトステッチによる縫い合わせの主要部３５よりも表皮片５の中央側に離れた位置になる。
【０００７】
このように縫い合わせた表皮片５をボールの表面となる人工皮革片６どうしを離すように開くと、表皮片５どうしの合わせ部から縫い糸の端部が見えたり、飛び出したりするという欠点がある。又、縫い終わりの返し縫い時に糸切れが発生するという欠点があった。
【先行技術文献】
【特許文献】
【０００８】
【特許文献１】特開２０１０−３５６９４号公報
【発明の概要】
【発明が解決しようとする課題】
【０００９】
本発明は、上記背景技術に鑑みてなされたものであり、人工皮革片と補強片とを接合した態様の表皮片を太い糸で機械縫いする場合において、表皮片５どうしの合わせ部から縫い糸の端部が見えたり、飛び出したりしないこと、及び縫い終わりの返し縫いでの糸切れを発生しないようにすることを目的とする。
【課題を解決するための手段】
【００１０】
本発明は、人工皮革片と補強片とを接合した態様の表皮片を機械縫いで隣接して繋ぐように構成したボールにおいて、縫い終わりの返し縫いが縫い合わせの主要部よりも表皮片の端縁側に位置をずらされたことを特徴とする。本発明にあっては、縫い終わりの返し縫いが縫い合わせの主要部と平行に構成されてもよい。
【発明の効果】
【００１１】
本発明は、縫い終わりの返し縫いが縫い合わせの主要部よりも表皮片の端縁側に位置をずらされたことにより、ボールの表面に返し縫いの後の糸の端が飛び出てくるのを防ぐことができ、使用する糸や針が太くても、糸切りを防ぐことができるという効果がある。又、本発明にあっては、縫い終わりの返し縫いが縫い合わせの主要部と平行に構成されれば、表皮片が破壊されない効果がある。
【図面の簡単な説明】
【００１２】
【図１】実施の形態１に係る一部を破断したボールを示す斜視図。
【図２】実施の形態１に係る表皮の製造工程を示す工程図。
【図３】従来の一部を破断したボールを示す斜視図。
【図４】従来の機械縫いにおけるヒッチステッチを示す断面図。
【図５】従来の機械縫いにおけるパーフェクトステッチを示す断面図。
【図６】従来の機械縫いによる返し縫いの状態を示す斜視図。
【図７】対比例の主要部に対して斜めに返し縫いを行った状態を示す斜視図。
【発明を実施するための形態】
【００１３】
図１を参照し、実施の形態１に係る競技用のボール１について説明する。尚、以下の説明において、図３に示す従来の競技用のボール１と同じ部分には同一符号を付して説明する。ボール１は、気嚢としてのブラダー２、その外側を覆う表皮３とを備え、ブラダー２の内部空間４に圧縮空気を注入して膨らますことのできるようになっている。表皮３は、表皮片５の隣接する２辺を縫合して球状に構成されている。表皮片５は、人工皮革片６と補強片７とを図外の接着剤又は超音波接着等により接合した態様である。このような表皮片５の隣接する２辺を繋ぐ部分がミシン又は手縫い機等を用いて機械縫いされ、表皮片５の残りの部分が手縫いされることにより、表皮片５からなる表皮３が球状に構成される。上記のように機械縫いされた部分は、隣接する表皮片５どうしの糸８で縫い合わせられた縫い代９がブラダー２の側に位置するように折り曲げられ、隣接する表皮片５が互いに両側に広げられた造形となる。又、上記のように機械縫いされた部分では、縫い終わりの返し縫い１０が、縫い始めの返し縫い１８と縫い終わりの返し縫い１０との間における縫い合わせの主要部１１よりも表皮片５の端縁１２の側に位置をずらされている。
【００１４】
そして、圧縮空気がブラダー２の内部空間４に注入されるに伴い、ブラダー２が人工皮革片６と補強片７とを接合した態様の表皮片５に接触して当該表皮片５で支持される。尚、ボール１としては、サッカーボール、バレーボール、ハンドボール、バスケットボール等が考えられる。尚、表皮３はボール１の人の触れる部分である。
【００１５】
図２を参照し、実施の形態１に係る表皮片５の製造工程について説明する。先ず、Ａ図において、積層シート１５から表皮片５を所定形状に切り出す。積層シート１５は、人工皮革シート１６の裏面に補強シート１７を接着剤又は高周波接着等で貼り合わせた硬い態様である。積層シート１５の材料としては、例えば、ポリ塩化ビニルやポリウレタンの単層、ポリ塩化ビニルと不織布との積層体、ポリ塩化ビニルと織布との積層体、ポリウレタンと不織布との積層体、ポリウレタンと織布との積層体、その他の樹脂を用いた積層体で構成してもよい。積層シート１５における補強シート１７の裏面が、図１に示すブラダー２の側に位置する面である。
【００１６】
次に、Ｂ図に示すように、Ａ図の積層シート１５から切り出された表皮片５は、人工皮革片６と補強片７とから構成されている。仮想線Ｌ１から外側が縫い代９である。
【００１７】
Ｃ図及びＤ図において、２個の表皮片５を機械縫いで縫合する場合を例として説明すると、２個の表皮片５の表面つまり表皮片５の人工皮革片６の表面が互いに接触して重ね合わされている一方、２個の表皮片５の一辺どうしが互いに位置を合わせられる。又、重ね合わされた２個の表皮片５の一辺どうしが機械縫いされる場合、縫い始めの返し縫い１８と縫い終わりの返し縫い１０とが、縫い始めの返し縫い１８と縫い終わりの返し縫い１０との間における縫い合わせの主要部１１よりも表皮片５の端縁１２の側に位置をずらされている場合を例として説明すると、先ず、縫い始めの返し縫い１８が仮想線Ｌ２よりも表皮片５の端縁１２の側に位置をずらされて行なわれたのに引き続き、縫い合わせの主要部１１が仮想線Ｌ２の上を通るように縫合され、更に引き続いて縫い終わりの返し縫い１０が仮想線Ｌ２よりも表皮片５の端縁１２の側に位置をずらされて行なわれている。
【００１８】
図２のＣ図に示すように、縫い合わせの主要部１１が正送りであると、縫い始めの返し縫い１８及び縫い終わりの返し縫い１０は逆送りになる。縫い合わせの主要部１１はパーフェクトステッチ、縫い始めの返し縫い１８及び縫い終わりの返し縫い１０はヒッチステッチになる。とりわけ、ヒッチステッチによる縫い終わりの返し縫い１０が縫い合わせの主要部１１よりも表皮片５の端縁１２の側に位置するように位置をずらして縫い合わせた構成が、図６の機械縫いによる縫い終わりの返し縫い３７と相違する。
【００１９】
上記のように縫い始めの返し縫い１８と縫い終わりの返し縫い１０との双方を縫い合わせの主要部１１よりも表皮片５の端縁１２の側に位置をずらすことにより、図１のボール１の表面に返し縫い１８；１０の後の糸８の端が飛び出てくるのを防ぐことができるうえ、使用する糸８や図外の針が太くても、縫い合わせ時の縫い始めの返し縫い１８又は縫い終わりの返し縫い１０の糸切りを防止することができる。
【００２０】
又、縫い始めの返し縫い１８と縫い終わりの返し縫い１０との双方を縫い合わせの主要部１１よりも表皮片５の端縁１２の側に位置をずらしたり、又は、縫い終わりの返し縫い１０だけを縫い合わせの主要部１１よりも表皮片５の端縁１２の側に位置をずらしたりする場合において、縫い始めの返し縫い１８と縫い終わりの返し縫い１０とが縫い合わせの主要部１１と平行に折り返されているので、使用する糸８や図外の針が太くても、図２のＣ図に示すように、縫い代９の縫い合わせの主要部１１と端縁１２との間の寸法Ｘ１を小さくすることができ、上記縫い代９の寸法Ｘ１を小さくしても縫い始めの返し縫い１８と縫い終わりの返し縫い１０とが縫い代９の端縁１２から外側に出て縫い代９を破壊することがなく、縫い始めの返し縫い１８と縫い終わりの返し縫い１０との縫いの長さを確保することができる。
【００２１】
図７を参照し、対比例について説明する。図７に示す対比例は、縫い始めの返し縫い４０と縫い終わりの返し縫い３９とが縫い合わせの主要部１１に対して端縁１２側に斜めに折り返された場合である。縫い代４１の縫い合わせの主要部１１と端縁１２との間の寸法Ｘ２は、図２のＣ図に示す平行に折り返された場合における縫い代９の寸法Ｘ１よりも大きくなっている（Ｘ２＞Ｘ１）。返し縫い４０；３９を図２のＣ図に示す返し縫い１８；１０と同じ縫いの長さに設定すると共に、縫い代４１の寸法Ｘ２を縫い代９の寸法Ｘ１と同じ寸法（Ｘ２＝Ｘ１）に設定した場合、返し縫い４０；３９が縫い代４１の端縁１２から外側に出て縫い代４１を破壊する可能性がある。
【００２２】
従って、返し縫い４０；３９を図２のＣ図に示す返し縫い１８；１０と同じ縫いの長さに設定し、当該返し縫い４０；３９を図７に示すように斜めに折り返す場合、縫い代４１の寸法Ｘ２を縫い代９の寸法Ｘ１よりも大きく設定し、縫い代４１を破壊しないようにする必要がある。しかしながら、縫い代４１の寸法Ｘ２が大きいと、材料の取れ率が下がりコストアップになる。このようなことから、図２のＣ図に示すように、返し縫い１８；１０を縫い合わせの主要部１１に対して平行に折り返すことが好ましい。
【００２３】
又、図２のＥ図に示すように、一辺を機械縫いされた２個の表皮片５が互いに広げられることにより、人工皮革片６の表面が外側となり、縫い代９が人工皮革片６の表面から内側に突出した造形となる。
【００２４】
本実施の形態１において、表皮片５の硬さと糸８の材質と糸８の太さとについては特に限定されることはないが、糸８の材質については、ポリエステル製の糸を使用した場合にはボールの表面の色にあわせて糸の色が選択できる点で好適であり、ポリパラフェニレンテレフタルアミド製のケブラー（登録商標）糸を使用した場合にはポリエステル製の糸よりも糸の張力が強い点で好適である。
【００２５】
株式会社テクロック社製デュロメータＧＳ−７０１Ｎで表皮片５の硬度を測定した値が５０以上１００以下である場合には、ポリエステル製の糸であって、糸の太さが６０００乃至１２０００デニールの糸を使用することが好ましい。この条件下で機械縫いをすると、ボール１の表面の表皮片５どうしの合わせ部は、手縫した従来の縫いボールの表面の表皮片どうしの合わせ部と同様の外観となる点で好ましい。又、表皮片５の硬度の値が５０以上９０以下である場合には、ポリエステル製の糸であって、糸の太さが９０００デニールの糸を使用することが最も好ましい。この条件下で機械縫いをすると、ボール１の表面の表皮片５どうしの合わせ部は、手縫した従来の縫いボールの表面の表皮片どうしの合わせ部に最も近い外観となる。尚、デニールとは、糸の長さ９０００メートルに対する重さ（グラム単位）を表すものであり、長さと質量との関係で糸の太さを表す単位である。
【００２６】
表皮片５の所定形状は、方形、５角形、６角形、７角以上の角形、まゆ形等に限定されるものではなく、球状の表皮３を構成できる形状であればよい。
【符号の説明】
【００２７】
１はボール、２はブラダー、３は表皮、４は内部空間、５は表皮片、６は人工皮革片、７は補強片、８は糸、９は縫い代、１０は縫い終わりの返し縫い、１１は縫い合わせの主要部、１２は端縁、１３乃至１４は欠番、１５は積層シート、１６は人工皮革シート、１７は補強シート、１８は縫い始めの返し縫い、１９乃至３０は欠番、３１は上糸、３２は下糸、３３は上糸、３４は下糸、３５は縫い合わせの主要部、３６は縫い始めの返し縫い、３７は縫い終わりの返し縫い、３８は端縁、３９は縫い終わりの返し縫い、４０は縫い始めの返し縫い、４１は縫い代。
【図１】
2015033547.tif 000003
【図２】
2015033547.tif 000004
【図３】
2015033547.tif 000005
【図４】
2015033547.tif 000006
【図５】
2015033547.tif 000007
【図６】
2015033547.tif 000008
【図７】
2015033547.tif 000009